(57)【要約】【課題】搬送容器等に入れた食品用トレイの取り出しが容易で、しかも場合によっては、見易い位置にラベル等も貼ることが可能な食品用トレイを提供する。【解決手段】底部１１と、底部１１に一体的に連結された側壁部１２〜１５と、側壁部１２〜１５の上端にあるフランジ部１６〜１９とを有する平面視して角部が丸くなった矩形の食品用トレイ１０において、側壁部１２〜１５の上に突出してフランジ部１６〜１９に連接する把手部２０、２１を膨出して設けた。そして、把手部２０、２１は対向する側壁部１３、１５に点対称又は線対称に形成されている。【選択図】図１
0003167033.tif 000002
【実用新案登録請求の範囲】
【請求項１】
底部と、該底部に一体的に連結された側壁部と、該側壁部の上端にあるフランジ部とを有する平面視して角部が丸くなった矩形の合成樹脂製の食品用トレイにおいて、
前記側壁部の上に突出して前記フランジ部に連接する把手部を設けたことを特徴とする食品用トレイ。
【請求項２】
請求項１記載の食品用トレイにおいて、前記把手部は対向する前記側壁部に点対称又は線対称に形成されていることを特徴とする食品用トレイ。
【請求項３】
請求項１又は２記載の食品用トレイにおいて、前記把手部は前記フランジ部の上方に膨出して形成されていることを特徴とする食品用トレイ。
【請求項４】
請求項１〜３のいずれか１記載の食品用トレイにおいて、前記把手部は側面視して、頂部が丸い三角形又は上角部が丸い台形となっていることを特徴とする食品用トレイ。
【請求項５】
請求項１〜４のいずれか１記載の食品用トレイにおいて、前記把手部の他にラベル貼着部が前記側壁部の上に形成されていることを特徴とする食品用トレイ。
【請求項６】
請求項５記載の食品用トレイにおいて、前記把手部と前記ラベル貼着部はそれぞれ対となって、対向する前記側壁部の上にそれぞれ設けられていることを特徴とする食品用トレイ。
【考案の詳細な説明】
【技術分野】
【０００１】
本考案はプラスチック素材を用いて成形された底部及びこの底部に一体として連通する側壁部を備えた食品用トレイに関する、
【背景技術】
【０００２】
例えば、特許文献１又は２には合成樹脂製の食品容器が提案されている。この食品容器は、底の周囲に上方に開く（即ち、底板に対して開き角を有して）側壁部を設け、側壁部の上端には箱の強度を保持するためのフランジが設けられている。
【先行技術文献】
【特許文献】
【０００３】
【特許文献１】特開平５−３１０２４２号公報
【特許文献２】特開２００４−２７６９７１号公報
【考案の概要】
【考案が解決しようとする課題】
【０００４】
しかしながら、これらの食品トレイ（食品容器）を搬送箱内に複数収納した場合、トレイ上部に設けられているフランジの高さは一定なので、隣り合う食品トレイの間に指が入り難く、搬送箱内から個々の食品トレイを取り出し難いという問題があった。
また、各食品トレイにラベルを付けようとする場合、食品トレイに内容物を入れてラップをかけ、その上からラベル等を貼ることが行われており、ラップを外した場合には、ラベル等も一緒に外れて、内容物の成分や賞味期限等が判らなくなる場合があるという問題点があった。
【０００５】
本考案は、かかる事情に鑑みてなされたもので、搬送容器等に入れた食品用トレイの取り出しが容易で、しかも場合によっては、見易い位置にラベル等を貼ることが可能な食品用トレイを提供することを目的とする。
【課題を解決するための手段】
【０００６】
前記目的に沿う第１の考案に係る食品用トレイは、底部と、該底部に一体的に連結された側壁部と、該側壁部の上端にあるフランジ部とを有する平面視して角部が丸くなった矩形の合成樹脂製の食品用トレイにおいて、
前記側壁部の上に突出して前記フランジ部に連接する把手部を設けている。
なお、合成樹脂としては、真空成形ができるものであるのが好ましく、たとえば、ＰＳ（ポリスチレン）、ＰＰ（ポリプロピレン）、ＡＰＥＴ（アモルファス・ポリエチレン・テレフタレート）、ＰＶＣ（ポリ塩化ビニール）、ＡＢＳ等があるが、本考案はこれらの合成樹脂に限定されるものではない。
【０００７】
また、第２の考案に係る食品用トレイは、第１の考案に係る食品用トレイにおいて、前記把手部は対向する前記側壁部に点対称又は線対称に形成されている。
第３の考案に係る食品用トレイは、第１、第２の考案に係る食品用トレイにおいて、前記把手部は前記フランジ部の上方に膨出して形成されている。
【０００８】
第４の考案に係る食品用トレイは、第１〜第３の考案に係る食品用トレイにおいて、前記把手部は側面視して、頂部が丸い三角形又は上角部が丸い台形となっている。
第５の考案に係る食品用トレイは、第１〜第４の考案に係る食品用トレイにおいて、前記把手部の他にラベル貼着部が前記側壁部の上に形成されている。
そして、第６の考案に係る食品用トレイは、第５の考案に係る食品用トレイにおいて、前記把手部と前記ラベル貼着部はそれぞれ対となって、対向する前記側壁部の上にそれぞれ設けられている。
【考案の効果】
【０００９】
第１〜第６の考案に係る食品用トレイにおいては、側壁部の上に突出してフランジ部に連接する把手部を設けているので、例えば、搬送箱内に並べて配置されていても、上側に突出した把手部を掴んで食品トレイを取り出すことができる。
【００１０】
また、第２の考案に係る食品用トレイは、把手部は対向する側壁部に点対称又は線対称に形成されているので、両側の把手部を握って、食品用トレイを取り出すことができる。
【００１１】
第３の考案に係る食品用トレイは、把手部はフランジ部の上方に膨出して形成されているので、把手部を平面形状（即ち、薄板状）ではなく立体形状に成形することができ、より把手部の強度を増すことができる。
更に、トレイ及びこれに付属する把手部の成形が真空成形でできるようになり、より安価に大量生産が可能となる。
【００１２】
第４の考案に係る食品用トレイは、把手部は側面視して、頂部が丸い三角形又は上角部が丸い台形となっているので、成形が容易となる他、見栄えも良くなる。
【００１３】
そして、第５の考案に係る食品用トレイは、把手部の他にラベル貼着部が側壁部の上に形成されているので、ラベル貼着部に収納する食品の仕様を記載したラベルを貼着できる。
【００１４】
また、第６の考案に係る食品用トレイは、把手部とラベル貼着部は対となって、対向する側壁部の上にそれぞれ設けられているので、いずれか一方を食品用トレイの把持用に、他方をラベル貼着用に使用できる。
【図面の簡単な説明】
【００１５】
【図１】本考案の第１の実施の形態に係る食品用トレイの斜視図である。
【図２】同食品用トレイの断面図である。
【図３】本考案の第２の実施の形態に係る食品用トレイの斜視図である。
【図４】同食品用トレイの断面図である。
【図５】同食品用トレイの断面図である。
【考案を実施するための形態】
【００１６】
図１、図２に示すように本考案の第１の実施の形態に係る食品用トレイ１０は、ＰＳ、ＰＰ、ＡＰＥＴ等の合成樹脂からなって、例えば、０．２〜１ｍｍ厚のシートを真空成形して成形され、角部が丸くなった矩形（四角形）状の底部１１と、この底部１１に一体的に連接する側壁部１２〜１５と、側壁部１２〜１５の上端にそれぞれ形成されたフランジ部１６〜１９と、フランジ部１７、１９の上側に突出して形成された把手部２０、２１とを有している。以下、これらについて詳しく説明する。
【００１７】
底部１１及びこれに連接する側壁部１２〜１５は一体となって角を有することなく連結されている。従って、底部１１及び側壁部１２〜１５の連接部分の断面は円弧状になっている。また、側壁部１２〜１５は底部１１に外側傾斜して連結している。そして、底部１１には碁盤目状に縦横に細溝２３が形成され、底部１１の補強を図っている。また、側壁部１２〜１５には上下方向に外側突出の縦溝２４が一定ピッチで形成され、側壁部１２〜１５の補強を図っている。
【００１８】
側壁部１２〜１５の上部は外側水平方向に折れ曲がってフランジ部１６〜１９を形成している。このフランジ部１６〜１９はそれぞれが端部が円弧面で連結され、一つの矩形枠体を形成している。フランジ部１７、１９の上方には把手部２０、２１が膨出状態で形成されている。この把手部２０、２１の内側面は、対向する側壁部１３、１５に連続して形成されている。そして、把手部２０、２１は側壁部１３、１５に線対称に形成されている。
【００１９】
把手部２０、２１は側面視して上角部が丸い台形状となって、図２に示すように、断面が縦長台形状に形成され、その外側端部にはフランジ部１７、１９が形成されている。把手部２０、２１の高さは、側壁部１２〜１５の高さの０．３〜０．５倍となっている。
【００２０】
この食品用トレイ１０は以上のように構成されているので、この食品用トレイ１０を搬送する場合は、把手部２０、２１を持って移動することができる。また、多数の食品用トレイ１０が搬送容器に収納されていても、把手部２０、２１が突出するので容易に食品用トレイ１０を把持できる。また、把手部２０、２１は外側傾斜しているので、この内側部分にラベル等を貼るラベル貼着部として使用することもできる。
【００２１】
続いて、図３〜図５を参照しながら、本考案の第２の実施の形態に係る食品用トレイ２５について説明する。
図３〜図５に示すように、合成樹脂製の食品用トレイ２５は、平面視して角部が丸くなった矩形の容器であって、底部２６と、この底部２６に一体的に繋がる側壁部２７〜３０と、側壁部２７〜３０の上に形成されているフランジ部３１〜３４と、対向する側壁部２７、２９の上であって、フランジ部３１、３３から上方に突出して点対称に設けられたラベル貼着部３５、３６と、対向する側壁部２８、３０の上にあって、フランジ部３２、３４から突出して点対称に形成された把手部３７、３８とを有している。
【００２２】
食品用トレイ２５の底部２６及びこれに連接する側壁部２７〜３０には、所定ピッチ（例えば、２〜１０ｍｍ）で形成された縦横の細溝３９、４０からなる補強リブが設けられ、底部２６及び側壁部２７〜３０の補強を図っている。
この実施の形態においては、把手部３７、３８は側面視して頂部が丸い三角形となって、ラベル貼着部３５、３６が側面視して上角部が丸い台形状となっている。
【００２３】
ラベル貼着部３５、３６及び把手部３７、３８は、図４、図５に示すように、断面縦長台形状となっている。また、底部２６に対して側壁部２７〜３０は外側に開き、連結部分は断面円弧となって、真空成形が容易な形状となっている。
【００２４】
この実施の形態において、ラベル貼着部３５、３６にラベルを貼って、把手部３７、３８を持って、この食品用トレイ２５を把持するが、例えば、ラベル貼着部３５、３６を把手部として、把手部３７、３８をラベル貼着部とすることもできる。また、ラベル貼着部３５、３６及び把手部３７、３８の形状は任意であり、側面視して三角形又は台形に限定されない。
【００２５】
なお、第１の実施の形態に係る食品用トレイ１０と、第２の実施の形態に係る食品用トレイ２５の各要素を組み合わせて、食品用トレイを構成する場合も本考案は適用される。
把手部の数、及びラベル貼着部の数は任意であり、片側のみの一つであっても本考案は適用される。
また、この食品用トレイ１０、２５を食品用トレイ以外の用途に使用する場合も、食品用トレイとしても使用できる場合は、本考案が適用される。
【符号の説明】
【００２６】
１０：食品用トレイ、１１：底部、１２〜１５：側壁部、１６〜１９：フランジ部、２０、２１：把手部、２３：細溝、２４：縦溝、２５：食品用トレイ、２６：底部、２７〜３０：側壁部、３１〜３４：フランジ部、３５、３６：ラベル貼着部、３７、３８：把手部、３９、４０：細溝
【図１】
0003167033.tif 000003
【図２】
0003167033.tif 000004
【図３】
0003167033.tif 000005
【図４】
0003167033.tif 000006
【図５】
0003167033.tif 000007